(57)【要約】【課題】データ出力先に応じた出力方法を可能とする。【解決手段】所定の文書データを取得し、取得した文書データに対応する物品の受け取りが可能な１又は複数の受け取り先を表示する表示制御手段と、前記表示制御手段により表示された１又は複数の受け取り先のうち、ユーザにより選択された受け取り先に対して前記文書データを出力する出力方法又は出力データ形式を取得する取得手段と、前記取得手段により得られた出力方法又は出力データ形式に対応させて、前記文書データを変換する変換手段と、前記変換手段により変換された文書データを、前記ユーザにより選択された受け取り先に伝送する伝送手段とを有することにより上記課題を解決する。【選択図】図１
2016173667.tif 000002
【特許請求の範囲】
【請求項１】
所定の文書データを取得し、取得した文書データに対応する物品の受け取りが可能な１又は複数の受け取り先を表示する表示制御手段と、
前記表示制御手段により表示された１又は複数の受け取り先のうち、ユーザにより選択された受け取り先に対して前記文書データを出力する出力方法又は出力データ形式を取得する取得手段と、
前記取得手段により得られた出力方法又は出力データ形式に対応させて、前記文書データを変換する変換手段と、
前記変換手段により変換された文書データを、前記ユーザにより選択された受け取り先に伝送する伝送手段とを有することを特徴とする情報処理装置。
【請求項２】
前記表示制御手段は、
前記文書データの発行元、前記ユーザに関するユーザ情報、前記ユーザにより選択された受け取り先の履歴情報のうち少なくとも１つに基づき、前記受け取り先を表示することを特徴とする請求項１に記載の情報処理装置。
【請求項３】
前記表示制御手段は、
前記受け取り先を選択しない選択肢を表示することを特徴とする請求項１又は２に記載の情報処理装置。
【請求項４】
前記表示制御手段は、
前記受け取り先から得られる混雑状況に応じて、前記受け取り先を付加情報とともに表示することを特徴とする請求項１乃至３のいずれか一項に記載の情報処理装置。
【請求項５】
前記表示制御手段は
前記文書データから得られる予め設定されたキーワード又は条件に基づいて、前記１又は複数の受け取り先を表示する処理フローを実行することを特徴とする請求項１乃至４のいずれか一項に記載の情報処理装置。
【請求項６】
前記伝送手段は、
前記ユーザにより選択された受け取り先に、前記ユーザの到着予想時間又は前記文書データに対応した物品の受取指定時間の情報を、前記変換された文書データと合わせて送信することを特徴とする請求項１乃至５のいずれか一項に記載の情報処理装置。
【請求項７】
患者に対する処方箋データを取得し、取得した処方箋データに対応する医薬品の受け取りが可能な１又は複数の薬局を表示する表示制御手段と、
前記表示制御手段により表示された１又は複数の薬局のうち、前記患者により選択された薬局に対して前記処方箋データを出力する出力方法又は出力データ形式を取得する取得手段と、
前記取得手段により得られた出力方法又は出力データ形式に対応させて、前記処方箋データを変換する変換手段と、
前記変換手段により変換された処方箋データを、前記患者により選択された受け取り先に伝送する伝送手段とを有することを特徴とする情報処理装置。
【請求項８】
情報処理装置と、前記情報処理装置とネットワークを介して接続された出力装置とを有する情報処理システムであって、
前記情報処理装置は、
所定の文書データを取得し、取得した文書データに対応する物品の受け取りが可能な１又は複数の受け取り先を表示する表示制御手段と、
前記表示制御手段により表示された１又は複数の受け取り先のうち、ユーザにより選択された受け取り先の前記出力装置に対して前記文書データを出力する出力方法又は出力データ形式を取得する取得手段と、
前記取得手段により得られた出力方法又は出力データ形式に対応させて、前記文書データを変換する変換手段と、
前記変換手段により変換された文書データを、前記ユーザにより選択された受け取り先の前記出力装置に伝送する伝送手段とを有することを特徴とする情報処理システム。
【請求項９】
情報処理装置と、前記情報処理装置とネットワークを介して接続された出力装置とを有する情報処理システムにおける情報処理方法であって、
所定の文書データを取得し、取得した文書データに対応する物品の受け取りが可能な１又は複数の受け取り先としてを表示する表示制御手順と、
前記表示制御手順により表示された１又は複数の受け取り先のうち、ユーザにより選択された受け取り先の前記出力装置に対して前記文書データを出力する出力方法又は出力データ形式を取得する取得手順と、
前記取得手順により得られた出力方法又は出力データ形式に対応させて、前記文書データを変換する変換手順と、
前記変換手順により変換された文書データを、前記ユーザにより選択された受け取り先の前記出力装置に伝送する伝送手順とを有することを特徴とする情報処理方法。
【請求項１０】
コンピュータを、
請求項１乃至７のいずれか一項に記載の情報処理装置が有する各手段として機能させる情報処理プログラム。
【発明の詳細な説明】
【技術分野】
【０００１】
本願は、情報処理装置、情報処理システム、情報処理方法、及び情報処理プログラムに関する。
【背景技術】
【０００２】
近年では、分業による作業の効率化が進んでおり、例えば所定の文書を発行する発行者と、その文書に記載された物品（対象物）を提供する提供者とが異なる場合がある。例えば、医療分野では、医師が患者を診察した後、患者に処方する医薬について病院内で処方箋等の文書を発行し、発行された処方箋に基づいて薬局等にて院外処方を行う機会が増加している。この場合、病院が発行者の一例となり、薬局が提供者の一例となる。
【０００３】
院外処方の場合には、患者が病院で発行された紙媒体の処方箋を薬局まで持っていき、薬局で処方箋を提示することで薬を受け取ることができる。その際、患者は、薬局の薬剤師が処方箋にしたがって調剤している間待っていなければならない。そこで、予め患者が薬を受け取る薬局を指定し、処方箋の情報を指定した薬局にネットワークを介して送信しておく方法が知られている（例えば、特許文献１参照）。
【発明の概要】
【発明が解決しようとする課題】
【０００４】
しかしながら、上述した特許文献１の手法では、単にネットワークを介して接続された薬局に処方箋の情報を送信するだけである。つまり、従来では、薬局等の物品の提供者（物品の受け取り先）ごとに処方箋等のデータの受付方法（発行元からのデータの出力方法や出力データ形式）等が異なるため、希望する受け取り先を指定できなかったり、指定した受け取り先でデータを受け取れなかったりする等の問題があった。
【０００５】
１つの側面では、本発明は、データの受け取り先に応じた出力方法を可能にすることを目的とする。
【課題を解決するための手段】
【０００６】
一態様の情報処理装置であって、所定の文書データを取得し、取得した文書データに対応する物品の受け取りが可能な１又は複数の受け取り先を表示する表示制御手段と、前記表示制御手段により表示された１又は複数の受け取り先のうち、ユーザにより選択された受け取り先に対して前記文書データを出力する出力方法又は出力データ形式を取得する取得手段と、前記取得手段により得られた出力方法又は出力データ形式に対応させて、前記文書データを変換する変換手段と、前記変換手段により変換された文書データを、前記ユーザにより選択された受け取り先に伝送する伝送手段とを有する。
【発明の効果】
【０００７】
データの受け取り先に応じた出力方法を可能とする。
【図面の簡単な説明】
【０００８】
【図１】本実施形態における処方箋出力システムの概略構成の一例を示す図である。
【図２】コンピュータシステムのハードウェア構成の一例を示す図である。
【図３】本実施形態におけるクライアント端末の機能構成の一例を示す図である。
【図４】本実施形態における管理サーバの機能構成の一例を示す図である。
【図５】本実施形態における処方箋出力シーケンスの一例を示す図である。
【図６】本実施形態で用いられるテーブルの一例を示す図である。
【発明を実施するための形態】
【０００９】
以下、実施の形態について詳細に説明する。本実施形態では、発行された所定の文書に対応する物品の受け取りが可能な受け取り先を表示し、ユーザにより選択された受け取り先で文書を受け付ける受付方法（発行元からのデータの出力方法や出力データ形式）を取得する。また、本実施形態では、上述したデータの出力方法や出力データ形式に対応させて、上記文書のデータを変換し、ユーザにより選択された受け取り先に変換した文書のデータを伝送する。
【００１０】
上述した実施形態を実現する情報処理システムの一例として、患者への医薬品の提供を目的とした処方箋出力システムを用いて具体的に説明するが、適用範囲についてはこれに限定されるものではない。
【００１１】
＜処方箋出力システム：概略構成＞
図１は、本実施形態における処方箋出力システムの概略構成の一例を示す図である。図１に示す処方箋出力システム１は、例えば病院内に設置されたクライアント端末１０と、管理サーバ２０と、ＭＦＰ（Ｍｕｌｔｉ−Ｆｕｎｃｔｉｏｎ  Ｐｅｒｉｐｈｅｒａｌ）３０と、院外の処方箋出力先（出力装置）の一例として薬局Ａに設置されたＦＡＸ４０Ａと、薬局Ｂに設置されたメール端末４０Ｂと、薬局Ｃに設置された電子処方箋システム４０Ｃとを有している。
【００１２】
図１に示すクライアント端末１０と、管理サーバ２０と、ＭＦＰ３０とは、それぞれ相互にデータ通信可能な状態で接続されている。また、クライアント端末１０は、インターネット等のネットワークＮ（有線又は無線の別は問わない）を介して薬局ＡのＦＡＸ４０Ａと、薬局Ｂのメール端末４０Ｂと、薬局Ｃの電子処方箋システム４０Ｃと接続されている。なお、図１に示す薬局の数や、各装置の数、種類等は、これには限定されない。また、各薬局に設置される処方箋出力先は、１種類に限定されるものではなく、複数種類でも良い。
【００１３】
クライアント端末１０は、所定の処理を実行するコンピュータである。図１に示すクライアント端末１０は、例えば病院内で医師等が使用する端末であっても良く、病院の受付等で使用される端末であっても良い。クライアント端末１０は、例えば仮想ドライバ、画像変換ドライバ、ＰＤＦ変換ドライバ、プリンタドライバ等を有し、管理サーバ２０に管理されている処方箋等の文書を所定のデータ形式に変換する。
【００１４】
クライアント端末１０は、例えば医師により処方された処方箋データを取得すると、例えば処方箋による薬の調剤が可能な薬局一覧等を表示する。クライアント端末１０は、患者（ユーザ）により薬（医薬品）を受け取りに行く薬局（薬の受け取り先）が選択されると、その薬局への処方箋出力方法（ＦＡＸ、メール、電子処方箋システム等）に対応させて、中間形式（中間データ）等に変換していた処方箋データを各出力データ形式に変換する。クライアント端末１０は、変換した処方箋データを患者により選択された薬局等に伝送する。
【００１５】
管理サーバ２０は、例えば薬局一覧や薬局情報、医師により患者ごとに処方された処方箋の情報等を保持する。なお、管理サーバ２０は、１以上の情報処理装置により構成されるクラウドコンピュータの形態により実現しても良く、１台の情報処理装置に統合して実現しても良く、複数の情報処理装置に分散して実現することも可能である。
【００１６】
ＭＦＰ３０は、スキャン機能、コピー機能、プリンタ機能、ＦＡＸ機能等を有する複合機等の画像形成装置であるがこれには限定されず、例えばコピー機、プリンタ、レーザプリンタ等の画像形成に係る処理を行う装置であれば良い。
【００１７】
図１に示す処方箋出力システム１において、クライアント端末１０は、プリンタドライバによりＭＦＰ３０で出力可能なデータ形式（例えば、ＲＡＷデータ）に中間形式の処方箋データを変換し、ＭＦＰ３０により処方箋の印刷出力を行う。ＭＦＰ３０により印刷出力される紙媒体の処方箋は、例えば患者により院外の薬局が選択されなかった場合に用いられるが、院外の薬局で薬を受け取る際の原本としても用いられる。
【００１８】
上述した構成により、患者により選択された薬局に対応する処方箋の出力を可能とし、ユーザが薬局に到着する前に処方箋データを薬局に出力しておくため、患者が薬を受け取るまでの待ち時間を短くすることが可能となる。
【００１９】
＜ハードウェア構成＞
上述したクライアント端末１０や管理サーバ２０は、例えば図２に示すハードウェア構成のコンピュータシステムにより実現される。図２は、コンピュータシステムのハードウェア構成の一例を示す図である。
【００２０】
図２に示すコンピュータシステム２は、入力装置５１と、表示装置５２と、ＲＡＭ（Ｒａｎｄｏｍ  Ａｃｃｅｓｓ  Ｍｅｍｏｒｙ）５３と、ＲＯＭ（Ｒｅａｄ  Ｏｎｌｙ  Ｍｅｍｏｒｙ）５４と、ＨＤＤ（Ｈａｒｄ  Ｄｉｓｋ  Ｄｒｉｖｅ）５５と、ＣＰＵ（Ｃｅｎｔｒａｌ  Ｐｒｏｃｅｓｓｉｎｇ  Ｕｎｉｔ）５６と、通信Ｉ／Ｆ５７と、外部Ｉ／Ｆ５８とを有し、それぞれがバスＢで相互に接続されている。
【００２１】
入力装置５１は、キーボードやマウス、タッチパネル等を含み、ユーザが各操作信号を入力するのに用いられる。表示装置５２は、ディスプレイ等を含み、コンピュータシステム２による処理結果を表示する。
【００２２】
ＲＡＭ５３は、プログラムやデータを一時保持する揮発性の半導体メモリ（記憶装置）である。ＲＯＭ５４は、電源を切ってもプログラムやデータを保持可能な不揮発性の半導体メモリ（記憶装置）である。ＲＯＭ５４には、コンピュータシステム２の起動時に実行されるＢＩＯＳ（Ｂａｓｉｃ  Ｉｎｐｕｔ／Ｏｕｔｐｕｔ  Ｓｙｓｔｅｍ）、ＯＳ（Ｏｐｅｒａｔｉｏｎ  Ｓｙｓｔｅｍ）設定、及びネットワーク設定等のプログラムやデータを格納する。
【００２３】
ＨＤＤ５５は、プログラムやデータを格納している不揮発性の記憶装置である。格納されるプログラムやデータには、例えばコンピュータシステム２全体を制御する基本ソフトウェアであるＯＳや、ＯＳ上において各種機能を提供するアプリケーションソフトウェア等がある。
【００２４】
ＨＤＤ５５は、格納しているプログラムやデータを所定のファイルシステム及び／又はＤＢ（データベース）により管理する。なお、コンピュータシステム２は、ＨＤＤ５５の代わりにＳＳＤ（Ｓｏｌｉｄ  Ｓｔａｔｅ  Ｄｒｉｖｅ）が設けられても良い。
【００２５】
ＣＰＵ５６は、ＲＯＭ５４やＨＤＤ５５等の記憶装置からプログラムやデータをＲＡＭ５３上に読み出し、処理を実行することで、コンピュータシステム２全体の制御や機能を実現する演算装置である。
【００２６】
通信Ｉ／Ｆ５７は、コンピュータシステム２をネットワークＮに接続するインターフェースである。これにより、コンピュータシステム２は、通信Ｉ／Ｆ５７を介してデータ通信を行う。
【００２７】
外部Ｉ／Ｆ５８は、外部装置とのインターフェースである。外部装置には、記録媒体５８Ａ等がある。これにより、コンピュータシステム２は、外部Ｉ／Ｆ５８を介して記録媒体５８Ａの読み取り及び／又は書き込みを行うことが可能である。
【００２８】
記録媒体５８Ａには、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、ＳＤメモリカード（ＳＤ  Ｍｅｍｏｒｙ  ｃａｒｄ）、ＵＳＢメモリ（Ｕｎｉｖｅｒｓａｌ  Ｓｅｒｉａｌ  Ｂｕｓ  ｍｅｍｏｒｙ）等がある。
【００２９】
クライアント端末１０や管理サーバ２０は、コンピュータシステム２のハードウェア構成により、後述する各種処理を実現することが可能となる。
【００３０】
次に、上述したクライアント端末１０や管理サーバ２０の機能構成について図を用いて説明する。
【００３１】
＜クライアント端末１０の機能構成＞
図３は、本実施形態におけるクライアント端末の機能構成の一例を示す図である。図３に示すクライアント端末１０は、表示制御部１１と、フロー保管部１２と、中間データ変換部１３と、薬局一覧取得部１４と、薬局情報取得部１５と、出力方法制御部１６と、出力データ変換部１７と、出力部１８とを有する。
【００３２】
表示制御部１１は、所定の文書データ（例えば、処方箋データ）を取得し、取得した文書データに対応する物品の受け取りが可能な１又は複数の受け取り先を表示するように制御する。例えば、表示制御部１１は、患者に関する患者（ユーザ）情報（診察券の患者の氏名や番号等）が入力され、例えば処方箋の印刷出力の指示を受け付けると、管理サーバ２０から処方箋データを取得する。また、表示制御部１１は、患者が処方箋の薬を受け取る薬局を選択させるための選択画面を表示するように制御する。表示制御部１１は、クライアント端末１０に接続された患者により閲覧可能な専用端末に選択画面を表示するように制御しても良い。
【００３３】
ここで、表示制御部１１は、選択画面で患者により選択された選択肢（ボタン）に応じて、例えば病院から所定範囲内にある薬局を表示したり、患者の住所から所定範囲にある薬局を表示したり、病院から患者の住所の地点までの経路上やその経路に近接する薬局を表示したりする。また、表示制御部１１は、患者が過去に選択した薬局を表示しても良い。表示制御部１１は、管理サーバ２０に保管されている各種情報を用いて、上述した表示する薬局を制御する。
【００３４】
また、表示制御部１１は、例えば紙媒体の処方箋を使用して薬局を自由に選びたい患者に対しては、薬局を選択しない等の選択肢を選択画面に表示しても良い。また、表示制御部１１は、現在日時と薬局情報に基づき定休日となっている薬局を表示しないよう制御しても良い。また、表示制御部１１は、処方箋の情報や薬局情報等に基づき処方箋で調剤できない薬がある薬局を表示しないように制御しても良い。また、表示制御部１１は、薬局への調剤されていない処方箋の数等の問い合わせ結果に応じて、例えば薬局ごとに付加情報（混雑状況等）を付加して表示するように制御しても良い。
【００３５】
フロー保管部１２は、印刷出力等の指示を受け付けた文書（例えば、処方箋や入院同意書等）のデータから得られるキーワード（条件）と対応させてアクション内容（動作内容）が定義されたルール（処理フロー等）を保管する。ルールに定義された処理フローの一例としては、例えば印刷出力の指示を受け付けた文書（処方箋）に「処方箋」等のキーワードが検知された場合に、アクションとして「薬局一覧を表示して振り分け印刷を行う」等の処理フローが実行される。なお、処理フローの内容については、これに限定されるものではない。
【００３６】
中間データ変換部１３は、表示制御部１１により管理サーバ２０の処方箋保管部２３から印刷出力の指示を受け付けた処方箋のデータを取得すると、各出力データ形式（例えばＲＡＷデータ、画像データ（ＢＭＰ、ＴＩＦＦ等）、ＰＤＦデータ等）に共通する中間形式のデータに変換する。なお、中間データ変換部１３は、例えば上述した処理を実行可能な仮想ドライバとして構成されても良い。
【００３７】
薬局一覧取得部１４は、管理サーバ２０から薬局一覧を取得する。薬局情報取得部１５は、管理サーバ２０から各薬局に関する薬局情報や、各薬局で対応可能な処方箋の受付方法に関する情報等を取得する。
【００３８】
出力方法制御部１６は、表示制御部１１により表示された薬局一覧から患者の操作により薬局が選択されると、薬局情報取得部１５により得られる各薬局で対応可能な処方箋データの受付方法に関する情報等を参照する。出力方法制御部１６は、患者により選択された薬局で対応する受付方法（薬局への処方箋データの出力方法）や、出力データ形式（例えばＲＡＷデータ、画像データ（ＢＭＴ、ＴＩＦＦ等）、ＰＤＦデータ等）を取得する。
【００３９】
また、出力方法制御部１６は、上述した薬局での処方箋データの受付方法がプリンタか、ＦＡＸか、メールか、電子処方箋システムか等に応じて、薬局先への処方箋データの伝送方法（出力方法）を制御する。
【００４０】
出力データ変換部１７は、例えば実ドライバ（画像変換ドライバ、ＰＤＦ変換ドライバ、プリンタドライバ等）に対応する。出力データ変換部１７は、中間データ変換部１３により変換された中間形式のデータを、出力方法制御部１６により取得された患者が選択した薬局で対応する出力データ形式に変換する。
【００４１】
出力部１８は、出力方法制御部１６により取得された出力方法で、出力データ変換部１７により出力データ形式に変換されたデータを、患者により選択された薬局等に伝送する。このとき、出力部１８は、ユーザにより薬の受取時間に対する指定がある場合には、薬の受取指定時間の情報を合わせて送信すると良い。
【００４２】
また、出力部１８は、患者により薬の受取時間に対する指定がない場合には、現在時刻と薬局までの移動時間等から得られた患者が薬局に到着する最短到着予想時刻の情報を送信すると良い。これにより、薬局側に患者が薬を取りに来るおおよその時間を通知し、薬局側に余裕をもって準備させることが可能となる。
【００４３】
＜管理サーバ２０の機能構成＞
図４は、本実施形態における管理サーバの機能構成の一例を示す図である。図４に示す管理サーバ２０は、薬局一覧保管部２１と、薬局情報保管部２２とを有する。また、管理サーバ２０は、処方箋保管部２３を有する。
【００４４】
薬局一覧保管部２１は、予め登録された薬局の一覧情報を保管する。薬局一覧保管部２１のデータは、所定期間ごと又は管理者等の指示等により、新規に開店した薬局を一覧に追加したり、閉店した薬局を一覧から削除したりする等の更新処理が行われる。
【００４５】
薬局情報保管部２２は、薬局情報として、例えば各薬局の名前や住所、各薬局で対応可能な処方箋の受付方法に関する情報（薬局への処方箋データの出力方法や出力データ形式）等を保管する。なお、薬局情報保管部２２が保管する情報は、これに限定されるものではなく、例えば各薬局で処方可能な薬剤の種類、薬剤の在庫数、薬剤師の数、現在の混雑状況等の情報でも良い。なお、混雑状況は、例えば薬局に送信して調剤されていない処方箋の数等の問い合わせ結果に基づき、現時点での混雑状況を取得することが可能であるが、混雑状況の取得例は、これに限定されるものではない。
【００４６】
処方箋保管部２３は、医師により処方された処方箋の情報を保管する。処方箋の情報は、患者情報や、処方した医師の情報、処方箋を作成した日時情報等とともに作成される。患者情報としては、例えば診察券の患者の氏名、番号、保険証番号、住所、年齢、病名、処方箋の履歴情報、患者が過去に薬を受け取りに行った薬局の履歴情報、患者が指定した薬の受け取り指定時間、指定した薬局への患者の到着予想時間等としても良いがこれに限定されるものではない。また、処方箋の履歴情報には、過去に処方された薬の情報等があるが、これに限定されるものではない。
【００４７】
なお、上述した管理サーバ２０に含まれる上述した各保管部は、異なる装置で構成されても良い。また、管理サーバ２０は、上述した各保管部に記憶された各種情報を読み出したり、書き込んだり、追加、削除等の更新処理を行うデータベースサーバ等でも良い。
【００４８】
＜処方箋出力シーケンス＞
図５は、本実施形態における処方箋出力シーケンスの一例を示す図である。図５に示すシーケンスは、クライアント端末１０と、管理サーバ２０と、薬局ＡのＦＡＸ４０Ａと、薬局Ｂのメール端末４０Ｂと、薬局Ｃの電子処方箋システム４０Ｃとにより実行される。
【００４９】
図５に示すように、クライアント端末１０は、医師により管理サーバ２０の処方箋保管部２３に処方箋の情報が登録された後、患者に処方箋を発行するため、表示制御部１１を介して処方箋の印刷出力の要求を受け付ける（Ｓ１０）。
【００５０】
ここで、クライアント端末１０は、表示制御部１１により印刷出力の要求を受け付けた処方箋データを処方箋保管部２３から取得すると、フロー保管部１２に保管されているルールを参照する。クライアント端末１０は、処方箋保管部２３から取得したデータに対して予め設定された所定の領域に、例えば「処方箋」等の所定のキーワードが含まれていると判断すると、処方箋が記載された文書データであると判断し、そのキーワードに対応するアクション内容を実行する。
【００５１】
クライアント端末１０は、アクション内容の一例として、例えば薬局一覧取得部１４により薬局一覧保管部２１から薬局一覧を取得すると（Ｓ１１）、表示制御部１１により画面に薬局一覧を表示するよう制御する。薬局一覧の表示の仕方は、これに限定されるものではない。クライアント端末１０は、中間データ変換部１３により印刷出力の対象である処方箋データを中間形式のデータに変換する（Ｓ１２）。
【００５２】
クライアント端末１０は、表示制御部１１を介して画面に表示された薬局一覧等から、患者により薬局が選択されると（Ｓ１３）、薬局情報取得部１５により管理サーバ２０の薬局情報保管部２２から選択された薬局の薬局情報等を取得する（Ｓ１４）。クライアント端末１０は、出力方法制御部１６により、患者に選択された薬局で対応可能な処方箋データの受付方法等を取得する。
【００５３】
クライアント端末１０は、例えば患者により薬局Ａが選択された場合には、薬局Ａの出力方法（例えば、ＦＡＸ）、出力データ形式（例えば、画像データ）を取得し、中間形式の処方箋データを画像データに変換する（Ｓ１５）。また、クライアント端末１０は、Ｓ１５の処理で画像データに変換した処方箋データを、薬局ＡのＦＡＸ４０Ａに対して送信する（Ｓ１６）。
【００５４】
クライアント端末１０は、例えば患者により薬局Ｂが選択された場合には、薬局Ｂの出力方法（例えば、メール）、出力データ形式（例えば、ＰＤＦ）を取得し、中間形式の処方箋データをＰＤＦ形式に変換する（Ｓ１７）。また、クライアント端末１０は、Ｓ１７の処理でＰＤＦ形式に変換した処方箋データを、薬局Ｂのメール端末４０Ｂに対して送信する（Ｓ１８）。
【００５５】
クライアント端末１０は、例えば患者により薬局Ｃが選択された場合には、薬局Ｃの出力方法（例えば、電子処方箋システム）、出力データ形式（例えば、ＰＤＦ）を取得し、中間形式の処方箋データをＰＤＦ形式に変換する（Ｓ１９）。また、クライアント端末１０は、Ｓ１９の処理でＰＤＦ形式に変換した処方箋データを、薬局Ｃの電子処方箋システム４０Ｃに対して送信する（Ｓ２０）。
【００５６】
クライアント端末１０は、例えば患者により薬局が選択されず、紙媒体（処方箋が印刷された文書）が選択された場合等には、中間形式の処方箋データをＲＡＷデータに変換する（Ｓ２１）。また、クライアント端末１０は、Ｓ２１の処理でＲＡＷデータに変換した処方箋データを、病院内のＭＦＰ３０に送信して印刷出力する（Ｓ２２）。
【００５７】
＜テーブル例＞
図６は、本実施形態で用いられるテーブルの一例を示す図である。図６（Ａ）は、薬局一覧保管部２１により保管される薬局一覧の一例である。図６（Ｂ）は、薬局情報保管部２２により保管される薬局情報の一例である。図６（Ｃ）は、フロー保管部１２により保管されるルールの一例である。
【００５８】
図６（Ａ）に示すテーブルは、例えば「ＩＤ」、「名前」等の項目により構成される。「ＩＤ」は、薬局を識別する識別情報である。「名前」は、薬局の名前を表している。
【００５９】
図６（Ｂ）に示すテーブルは、例えば「ＩＤ」、「住所」、「出力方式」、「データ形式」等の項目により構成される。「ＩＤ」は、図６（Ａ）に示すＩＤに対応している。「住所」は、薬局の住所を表している。「出力方式」、「出力データ形式」は、薬局で対応可能な処方箋の受付方法に関する情報を表している。「出力方法」は、薬局に対する処方箋データの出力方法（出力方式）を表している。「出力データ形式」は、薬局の「出力方法」に対応して処方箋データを出力するためのデータ形式を表している。
【００６０】
図６（Ｃ）に示すテーブルは、例えば「条件・キーワード」、「アクション」等の項目により構成される。「条件・キーワード」は、印刷出力等の指示を受け付けた文書データから検知するキーワード等を表している。「アクション」は、「条件・キーワード」に対応するキーワード等が検知された場合に実行されるアクション内容を表している。
【００６１】
例えば、キーワードが「処方箋」の場合には、上述した表示制御部１１、中間データ変換部１３、薬局一覧取得部１４、薬局情報取得部１５、出力方法制御部１６、出力データ変換部１７、出力部１８に対応する処理フロー（例えば、薬局一覧表示→振り分け印刷等）のアクション等を行う。また、キーワードが「入院同意書」の場合には、例えば２Ｆのプリンタに印刷するアクション等を行っても良い。また、「アクション」の項目に「２Ｆのプリンタ」等のキーワードがある場合には、予めキーワードに割り当てられた所定のプリンタ（例えば、プリンタＡ）に出力させても良い。
【００６２】
上述した実施形態によれば、データの受け取り先に応じた出力方法を可能とし、受け取り先に到着する前に受け取り先にデータを出力しておくため、物品等の受け取りまでの待ち時間を短くすることが可能となる。
【００６３】
本発明は、具体的に開示された上記の実施形態に限定されるものではなく、特許請求の範囲から逸脱することなく、種々の変形や変更が可能である。
【符号の説明】
【００６４】
１  処方箋出力システム（情報処理システムの一例）
２  コンピュータシステム
１０  クライアント端末（情報処理装置の一例）
１１  表示制御部（表示制御手段の一例）
１２  フロー保管部
１３  中間データ変換部
１４  薬局一覧取得部
１５  薬局情報取得部
１６  出力方法制御部（取得手段の一例）
１７  出力データ変換部（変換手段の一例）
１８  出力部（伝送手段の一例）
２０  管理サーバ
２１  薬局一覧保管部
２２  薬局情報保管部
２３  処方箋保管部
３０  ＭＦＰ
５１  入力装置
５２  表示装置
５３  ＲＡＭ
５４  ＲＯＭ
５５  ＨＤＤ
５６  ＣＰＵ
５７  通信Ｉ／Ｆ
５８  外部Ｉ／Ｆ
５８Ａ  記録媒体
【先行技術文献】
【特許文献】
【００６５】
【特許文献１】特開２００３−２６３５０１号公報
【図１】
2016173667.tif 000003
【図２】
2016173667.tif 000004
【図３】
2016173667.tif 000005
【図４】
2016173667.tif 000006
【図５】
2016173667.tif 000007
【図６】
2016173667.tif 000008